(57)【要約】【課題】金属製パイプを用いながらも合理的に製造しうる物干具を提供する。【解決手段】一対の金属製パイプ１、２の長さ方向中央に配置され吊り掛け用フック台座を兼用する中央連結部材１０が、両側からハンガー単体支持体２０、２０に圧接されることにより所定中央位置に固定されている。金属製パイプ１、２は、互いの周面に長さ方向に沿って設けられた開口を向かい合わせにして配置され、前記ハンガー単体支持体２０、２０は、合成樹脂から作製され、金属製パイプ内に挿入されると共に前記開口から突出する側縁部を有し、互いに向かい合ったものどうしがハンガー単体３０、３０を支持する。ハンガー単体３０は、その線材がハンガー単体支持体の線材挿通孔に挿通されて支持されている。金属製パイプの端部はエンドキャップ３３…によって閉塞され、該エンドキャップ３３…がパイプ１、２にかしめ止めされている。【選択図】　　　図１
2004141495.tif 000002
【特許請求の範囲】
【請求項１】
押出成形材からなる一対の金属製パイプと、該両金属製パイプをその長さ方向中央部において離間状態に連結し吊り掛け用フック台座を兼用する中央連結部材と、両金属製パイプに取り付けられた複数個のハンガー単体支持体と、該ハンガー単体支持体に支持されたハンガー単体と、金属製パイプの端部を閉塞するエンドキャップとを備え、
前記各金属製パイプは、互いの周面に長さ方向に沿って設けられた開口を向かい合わせにして配置され、
前記ハンガー単体支持体は、合成樹脂から作製され、金属製パイプ内に挿入されると共に前記開口から突出する側縁部を有し、互いに向かい合ったものどうしがハンガー単体を支持すると共に、一端が前記エンドキャップに当接する一方、他端が中央連結部材に当接するものと設定され、
中央連結部材は、その両端部がハンガー単体支持体に圧接されることにより所定位置に固定されていることを特徴とする物干具。
【請求項２】
前記金属製パイプは、内部に長さ方向に沿った隔壁を備えると共に、該隔壁を奥部とし前記開口より内部が広がった凹状部を備えてなる請求項１記載の物干具。
【請求項３】
前記エンドキャップは、金属製パイプ内に挿入され、金属製パイプをかしめることにより固定されてなる請求項１又は請求項２に記載の物干具。
【請求項４】
前記ハンガー単体支持体は、その側縁部が前記凹状部内に挿入され、開口より突出するハンガー単体取付部に、ハンガー単体を構成する線材が遊挿される線材遊挿孔が設けられてなる請求項１ないし請求項３のいずれかに記載の物干具。
【請求項５】
前記中央連結部材は、金属製パイプを抱持する抱持部を両側に備えた左右一対のブリッジ部と、該両ブリッジ部に跨がり吊り掛け用フックが突設されてなるフック台座部とを備えてなる請求項１ないし請求項４のいずれかに記載の物干具。
【請求項６】
前記ブリッジ部は、前記抱持部と、該抱持部に回動自在に取り付けられた連結部とからなり、該連結部にフック台座部が回動自在に取り付けられてなる請求項５に記載の物干し具。
【発明の詳細な説明】
【０００１】
【発明の属する技術分野】
この発明は、物干具、特にフレームに多数本のハンガー単体が取り付けられてなる物干具に関する。
【０００２】
【従来の技術】
従来、この種の物干具は、平行状に配置された一対の合成樹脂製フレームにハンガー単体が吊り下げられるようになされたものが一般的である（特許文献１参照）。
【０００３】
フレームに合成樹脂が採用される理由は、金属に比べて比較的低コストで作製できること、成形を行い易いことにある。
【０００４】
【特許文献１】
実公平７−１１１７号号公報（第２頁）
【０００５】
【発明が解決しようとする課題】
しかしながら、合成樹脂製フレームは、強度面、耐候性にいささか難点があることから、フレームを金属製にすることが望ましいが、金属製のフレームは、合成樹脂製のものに比べると製作上、種々の問題がある。例えば、複数個のハンガー単体を取付けるために複数個の孔を開けたり、複数条の溝を切ったりすることはいささか面倒でもある。
【０００６】
この発明は、このような課題を解決することを目的としてなされたもので、金属製パイプを用いながらも合理的に製造しうる物干具を提供しようとするものである。
【０００７】
【課題を解決するための手段】
而して、この発明は上記目的を達成するために、押出成形材からなる一対の金属製パイプと、該両金属製パイプをその長さ方向中央部において離間状態に連結し吊り掛け用フック台座を兼用する中央連結部材と、両金属製パイプに取り付けられた複数個のハンガー単体支持体と、該ハンガー単体支持体に支持されたハンガー単体と、金属製パイプの端部を閉塞するエンドキャップとを備え、前記各金属製パイプは、互いの周面に長さ方向に沿って設けられた開口を向かい合わせにして配置され、前記ハンガー単体支持体は、合成樹脂から作製され、金属製パイプ内に挿入されると共に前記開口から突出する側縁部を有し、互いに向かい合ったものどうしがハンガー単体を支持すると共に、一端が前記エンドキャップに当接する一方、他端が中央連結部材に当接するものと設定され、中央連結部材は、その両端部がハンガー単体支持体に圧接されることにより所定位置に固定されていることを特徴とする物干具、を要旨とする。
【０００８】
前記金属製パイプは、内部に長さ方向に沿った隔壁を備えると共に、該隔壁を奥部とし前記開口より内部が広がった凹状部を備えてなることが好ましい。
【０００９】
前記エンドキャップは、金属製パイプ内に挿入され、金属製パイプをかしめることにより固定されていることが好ましい。
【００１０】
前記ハンガー単体支持体は、その側縁部が前記凹状部内に挿入され、開口より突出する部位に、ハンガー単体を構成する線材が遊挿される線材遊挿孔が設けられてなることが好ましい。
【００１１】
前記中央連結部材は、金属製パイプを抱持する抱持部を両側に備えた左右一対のブリッジ部と、該両ブリッジ部に跨がり吊掛け用フックが突設されてなるフック台座部とを備えてなるものであることが好ましい。
【００１２】
前記ブリッジ部は、前記抱持部と、該抱持部に回動自在に取り付けられた連結部とからなり、該連結部にフック台座部が回動自在に取り付けられてなるものであることが好ましい。
【００１３】
【発明の実施の形態】
以下、この発明に係る物干具を図面に示す実施形態に基づいて説明する。この実施形態の物干具（Ａ）は、図２に示す分解状態から図１に示す所期する形態に組み立てられ、この組立完成状態からさらに図５に示すように、コンパクトに畳めるものとなされているものである。
【００１４】
この物干具（Ａ）は、押出成形材からなる一対の金属製パイプ（１）（２）と、該両金属製パイプ（１）（２）の長さ方向中央に配置され吊り掛け用フック台座を兼用する中央連結部材（１０）と、両金属製パイプ（１）（２）に取り付けられた複数個のハンガー単体支持体（２０）（２０）…と、該ハンガー単体支持体（２０）（２０）…に支持されたハンガー単体（３０）（３０）…と、金属製パイプ（１）（２）の端部開口を閉塞するエンドキャップ（３３）（３３）…とを備え、前記中央連結部材（１０）には吊り掛け用フック（１７）が突設されている。
【００１５】
金属製パイプ（１）（２）は、例えばアルミニウム、ステンレス等の耐食性に優れた金属が押出成形されてなるもので、周面に長さ方向に沿った開口（７）（８）を有し、図３及び図４に示すように内部に長さ方向に沿った隔壁（３）（４）を備えると共に、該隔壁（３）（４）を奥部とし前記開口より内部が広がった凹状部（５）（６）を備えている。
【００１６】
前記ハンガー単体支持体（２０）は、合成樹脂から作製されてなり、異なる金属製パイプ（１）（２）に取り付けられて互いに向かい合った１組が、一つのハンガー単体（３０）を支持するものである。このハンガー単体（２０）は、その両側に前記凹状部（５）（６）の断面形状に対応する断面形状を有しパイプ端部開口から凹状部（５）（６）内に挿入される側縁部（２３）が突設されている。また、パイプの周面開口より突出する半円形状ハンガー単体係止部（２１）に、ハンガー単体（２０）を構成する線材が遊挿される線材遊挿孔（２２）が設けられている。この実施形態では、一つのハンガー単体支持体（２０）に２つの半円形状ハンガー単体係止部（２１）が設けられているが、ハンガー単体支持体（２０）に設けられるハンガー単体係止部（２１）は、一つであっても良いし、３個以上であっても良い。
【００１７】
前記中央連結部材（１０）は、両金属パイプ（１）（２）に跨る左右一対のブリッジ部（１３）（１３）と、該両ブリッジ部材（１３）（１３）に跨がり吊り掛け用フック（１７）が突設されてなるフック台座部材（１６）とを備えてなるもので、いずれも合成樹脂から作製されている。
【００１８】
前記左右一対のブリッジ部材（１３）は、金属製パイプ（１）（２）を抱持する断面円環状抱持部（１１ａ）を下部に備え、上部に連結水平板部（１２）を備えた一対の脚部（１１）と、該両脚部（１１）（１１）に跨り両脚部（１１）（１１）に水平回りに回動自在に支持される梁部（１８）とから構成されている。前記抱持部（１１ａ）は、その内面に凹状部（５）（６）に端部開口から挿入される挿入部（１１ｃ）が突設される一方、外面に突条部（１１ｃ）が突設されている。この突状部（１１ｃ）の端部は、ハンガー単体支持体（２０）（２０）の端部に当接した際に、両部材が整合する形状に形成されている。梁部（１８）は、図３に示すように両端部が上下に分離された二股状に形成され、その上段部（１８ａ）と下段部（１８ｂ）との間に挿入された前記連結水平部（１２）に上下両段部（１８ａ）（１８ｂ）が連結ピン（１４）を介して回動自在に連結されている。また、この梁部（１８）中央部には、フック台座部連結用ピン挿通孔（１５）が穿設されている。
【００１９】
フック台座部（１６）は、長さ方向中央部に水平回りに回動自在かつフック台座部（１６）に対して倒伏自在な吊掛用挟持型フック（１７）が突設されている。前記両ブリッジ部材（１３）に跨るフック台座部（１６）は、両端部に連結ピン挿通孔（１６ａ）（１６ａ）が設けられており、該連結ピン挿通孔（１６ａ）（１６ａ）及び梁部（１８）の台座部連結用ピン挿通孔（１５）に挿通された連結用ピン（１４）（１４）によって、フック台座部（１６）がその両端部をブリッジ梁部（１８）（１８）に回動自在に連結されている。
【００２０】
前記エンドキャップ（３３）は、合成樹脂から作製されてなり、金属製パイプ（１）（２）の端部開口からパイプ内に挿入される脚部（３４）を備えると共に、金属製パイプ凹状部（７）（８）に挿入されたハンガー単体支持体（２０）の一端に当接する抑え部（３５）が突設されている。このエンドキャップ（３３）は、金属製パイプ（１）（２）をかしめることにより固定されている。
【００２１】
ハンガー単体（３０）は、金属製線材が所定形状に曲成されてなるもので、金属製線材の両端には保護キャップ（３１）（３２）が被せられている。このハンガー単体（３０）は、その上端左右両端部がハンガー単体支持体（２０）（２０）に係止されて吊り下げるものとなされている。
【００２２】
上記構成を有する物干具は、図２に示す分解状態から例えば次ぎのようにして組み立てられるものである。
【００２３】
まず、２本のハンガー単体（３０）（３０）の横棒部の一端にある保護キャップ（３１）（３１）を外して、その一端から一対のハンガー単体支持体（２０）（２０）の線材挿通孔（２２）（２２）に線材を遊挿する。この際、一対のハンガー単体支持体（２０）（２０）は、図２に示すように、所期するハンガー単体（３０）（３０）の上部において互いに向かい合うものとする。ハンガー単体（２０）（２０）とハンガー単体支持体（２０）（２０）とがこのようなような状態にあるものを３セット作製する。また、一対のブリッジ部材（１３）（１３）の各々も、予め連結ピン（１４）（１４）を介して連結水平部（１２）と梁部（１８）とを連結したものとしておき、金属製パイプ（１）（２）に取り付ける前は、図２に示すように両ブリッジ部材（１３）（１３）とフック台座部（１６）とを連結しないでおく。
【００２４】
そして、金属製パイプ（１）（２）の端部開口からハンガー単体（３０）（３０）がセットされた一組のハンガー単体支持体（２０）（２０）の側縁部（２３）を金属製パイプの凹状部（５）（６）に挿入し、金属製パイプ（１）（２）の中央に位置させる。次にその両側にブリッジ部材（１３）（１３）を位置させるべく、金属製パイプ（１）（２）の一端を一方のブリッジ部材（１３）の抱持部（１１ａ）（１１ａ）内に挿入し、他端を他方のブリッジ部材（１３）の抱持部（１１ａ）（１１ａ）内に挿入し両ブリッジ部材（１３）（１３）を中央のハンガー単体支持体（２０）（２０）に当接させる。
【００２５】
その後、金属製パイプ（１）（２）の一端開口からハンガー単体（３０）（３０）がセットされた一組のハンガー単体支持体（２０）（２０）の側縁部（２３）を金属製パイプの凹状部（５）（６）に挿入する一方、金属製パイプ（１）（２）の一端開口からハンガー単体（３０）（３０）がセットされた一組のハンガー単体支持体（２０）（２０）の側縁部（２３）を金属製パイプの凹状部（５）（６）に挿入し、記ブリッジ部材の抱持部（１１ａ）に当接させる。次に、エンドキャップ（３３）…パイプ（１）（２）の端部に挿入し、その脚部（３４）（３４）に対応するパイプ下側からかしめることによりエンドキャップ（３３）…をパイプ（１）（２）に固定する。そして、最後に、予め（１７）が突設された台座部（１６）を一対のブリッジ部材（１３）（１３）に跨らせ、連結ピン（１４）（１４）を介して台座部（１６）とブリッジ部材（１３）（１３）とを連結することにより、この実施形態の物干具の組立が完了する。
【００２６】
なお、ハンガー単体支持体（２０）は、そのハンガー単体取付部（２１）のいくつかには、ハンガー単体（２０）の代わりに紐付きピンチを取付けて、ハンガー単体とピンチとが併設されるものとしても良い。
【００２７】
【発明の効果】
上述の次第で、この発明は押出成形材からなる一対の金属製パイプと、該両金属製パイプをその長さ方向中央部において離間状態に連結し吊り掛け用フック台座を兼用する中央連結部材と、両金属製パイプに取り付けられた複数個のハンガー単体支持体と、該ハンガー単体支持体に支持されたハンガー単体と、金属製パイプの端部を閉塞するエンドキャップとを備え、前記各金属製パイプは、互いの周面に長さ方向に沿って設けられた開口を向かい合わせにして配置され、前記ハンガー単体支持体は、合成樹脂から作製され、金属製パイプ内に挿入されると共に前記開口から突出する側縁部を有し、互いに向かい合ったものどうしがハンガー単体を支持すると共に、一端が前記エンドキャップに当接する一方、他端が中央連結部材に当接するものと設定され、中央連結部材は、その両端部がハンガー単体支持体に圧接されることにより所定位置に固定されているものであるから、格別の固定用金具等を用いることなく、組み立てられる物干具を提供できる。
【００２８】
金属製パイプが、内部に長さ方向に沿った隔壁を備えると共に、該隔壁を奥部とし前記開口より内部が広がった凹状部を備えてなる場合には、強度的により強固なフレームが得られる。
【００２９】
エンドキャップが、金属製パイプ内に挿入され、金属製パイプをかしめることにより固定されてなる場合には、ねじやボルト、ナット等の止着部材を不要とし、より一層、合理的に組み立てられる物干具を提供できる。
【００３０】
前記ハンガー単体支持体が、その側縁部が前記凹状部内に挿入され、開口より突出するハンガー単体取付部に、ハンガー単体を構成する線材が遊挿される線材遊挿孔が設けられてなる場合には、ハンガー単体の取付が容易に行えると共に、線材遊挿孔に紐付きピンチを吊り下げることもできるので、ハンガー単体とピンチの両方が吊り下げられた物干具を提供できる。
【００３１】
中央連結部材が、金属製パイプを抱持する抱持部を両側に備えた左右一対のブリッジ部と、該両ブリッジ部に跨がり吊り掛け用フックが突設されてなるフック台座部とを備えてなる場合には、
ブリッジ部が、前記抱持部と、該抱持部に回動自在に取り付けられた連結部とからなり、該連結部にフック台座部が回動自在に取り付けられてなる場合には、一対の金属製フレームの間隔を互いに近づけたコンパクトな状態に折り畳める物干具を提供できる。
【図面の簡単な説明】
【図１】この発明に係る物干具の一実施形態を示す斜視図である。
【図２】同分解状態の斜視図である。
【図３】同折り畳み状態の斜視図である。
【図４】図１のＩＶ−ＩＶ線断面図である。
【図５】図１のＶ−Ｖ線断面図である。
【符号の説明】
１、２…金属製パイプ
５、６…開口
１０…中央連結部材
２０…ハンガー単体支持体
２３…側縁部
３０…ハンガー単体
【図１】
2004141495.tif 000003
【図２】
2004141495.tif 000004
【図３】
2004141495.tif 000005
【図４】
2004141495.tif 000006
【図５】
2004141495.tif 000007